(57)【特許請求の範囲】
【請求項１】
フレーム形式の信号をデータブロックに分割して１本以上のレーンを用いて送信装置から受信装置へ伝送するマルチレーン伝送システムであって、
前記送信装置は、
既存レーンにおけるフレームの同期パターンおよびフレーム番号を含むデータブロックを複製するデータブロック複製機能部と、
前記データブロック複製機能部の複製したデータブロックを、既存レーンとは異なる新規レーンに出力する新規レーン出力機能部と、
を備え、
前記受信装置は、
既存レーンにおけるフレームの同期パターンおよびフレーム番号と、新規レーンにおけるフレームの同期パターンおよびフレーム番号とを読み出す同期パターン読出し機能部と、
同一のフレーム番号を有する既存レーンと新規レーンの同期パターンの遅延を比較し、既存レーン及び新規レーンのうちの遅延の小さなレーンに遅延の差分を与えることで既存レーンと新規レーンの遅延差を補償する新規レーン遅延補償機能部と、
を備えるマルチレーン伝送システム。
【請求項２】
前記送信装置は、
レーン数を増加又は減少させる制御情報とともに増加又は減少させるレーンを示す変更レーン情報を含むフレーム形式の信号のオーバヘッドを生成するオーバヘッド部生成機能部をさらに備え、
前記新規レーン出力機能部は、前記オーバヘッド部生成機能部の生成したオーバヘッドを新規レーンに出力し、
前記同期パターン読出し機能部は、前記制御情報及び前記変更レーン情報を読み出し、
前記新規レーン遅延補償機能部は、前記制御情報及び前記変更レーン情報を用いて既存レーンと新規レーンを識別する
請求項１に記載のマルチレーン伝送システム。
【請求項３】
フレーム形式の信号をデータブロックに分割して１本以上のレーンを用いて送信装置から受信装置へ伝送するマルチレーン伝送システムにおいてレーン数を変更することで帯域を変更する帯域変更方法であって、
前記送信装置が、既存レーンにおけるフレームの同期パターンおよびフレーム番号を含むデータブロックを複製し、複製したデータブロックを、既存レーンとは異なる新規レーンに出力する新規レーン出力手順と、
前記受信装置が、既存レーンにおけるフレームの同期パターンおよびフレーム番号と、新規レーンにおけるフレームの同期パターンおよびフレーム番号とを読み出し、同一のフレーム番号を有する既存レーンと新規レーンの同期パターンの遅延を比較し、既存レーン及び新規レーンのうちの遅延の小さなレーンに遅延の差分を与えることで既存レーンと新規レーンの遅延差を補償する新規レーン遅延補償手順と、
を有するマルチレーン伝送システムにおける帯域変更方法。
【請求項４】
前記新規レーン出力手順において、前記送信装置が、レーン数を増加又は減少させる制御情報とともに増加又は減少させるレーンを示す変更レーン情報を含むフレーム形式の信号のオーバヘッドを生成し、生成したオーバヘッドを新規レーンに出力し、
前記新規レーン遅延補償手順において、前記受信装置が、前記制御情報及び前記変更レーン情報を用いて既存レーンと新規レーンを識別し、同一のフレーム番号を有する既存レーンと新規レーンの同期パターンの遅延を比較する
請求項３に記載のマルチレーン伝送システムにおける帯域変更方法。
【発明の詳細な説明】
【技術分野】
【０００１】
本発明は、フレーム形式の信号をデータブロックに分割して１本以上のレーンに分配して伝送するマルチレーン伝送システム及びその帯域変更方法に関する。
【背景技術】
【０００２】
現在、広域光転送網として非特許文献１に記載されたＯＴＮ（Ｏｐｔｉｃａｌ  Ｔｒａｎｓｐｏｒｔ  Ｎｅｔｗｏｒｋ）が広く用いられている。ＯＴＮフレームは図１に示す構造を有している。フレームは４行×４０８０列で表記され、フレームの１〜４０８０バイト目は１行目の１〜４０８０列目、４０８１〜８１６０バイト目は２行目の１〜４０８０列目、８１６１〜１２２４０バイト目は３行目の１〜４０８０列目、１２２４１〜１６３２０バイト目は４行目の１〜４０８０列目となる。クライアント信号は、フレームの１７〜３８２４列目のＯＰＵ（Ｏｐｔｉｃａｌ  ｃｈａｎｎｅｌ  Ｐａｙｌｏａｄ  Ｕｎｉｔ）ＰＬＤ（Ｐａｙｌｏａｄ）にマッピングされる。１５〜１６列目にはＯＰＵ  ＯＨ（ＯｖｅｒＨｅａｄ）が挿入され、クライアント信号のマッピング／デマッピングに必要な情報などが収容される。２〜４行目の１〜１４列目にはＯＤＵ（Ｏｐｔｉｃａｌ  ｃｈａｎｎｅｌ  Ｄａｔａ  Ｕｎｉｔ）ＯＨが挿入され、光チャネルのパス管理運用情報を収容する。１行目の１〜７列目にはフレーム同期に必要なＦＡＳ（Ｆｒａｍｅ  Ａｌｉｇｎｍｅｎｔ  Ｓｉｇｎａｌ）、レーン識別に用いるＬＬＭ（Ｌｏｇｉｃａｌ  Ｌａｎｅ  Ｍａｒｋｅｒ）、およびマルチフレーム中における位置を示すＭＦＡＳ（Ｍｕｌｔｉｆｒａｍｅ  Ａｌｉｇｎｍｅｎｔ  Ｓｉｇｎａｌ）から成るＦＡ（Ｆｒａｍｅ  Ａｌｉｇｎｍｅｎｔ）ＯＨが付加される。８〜１４列目には光チャネルのセクション監視情報を収容するＯＴＵ（Ｏｐｔｉｃａｌ  ｃｈａｎｎｅｌ  Ｔｒａｎｓｐｏｒｔ  Ｕｎｉｔ）ＯＨが挿入される。３８２５〜４０８０列目にはＦＥＣ（Ｆｏｒｗａｒｄ  Ｅｒｒｏｒ  Ｃｏｒｒｅｃｔｉｏｎ）用のパリティチェックバイトが付加される。
【０００３】
ＦＡ  ＯＨの１〜５バイトにはＯＡ１及びＯＡ２からなるＦＡＳが配置され、ＦＡ  ＯＨの６バイト目にはＬＬＭが配置され、ＦＡ  ＯＨの７バイト目にはＭＦＡＳが配置される。ここで、ＯＡ１は０ｂ１１１１０１１０であり、ＯＡ２は０ｂ００１０１０００である。
【０００４】
高速の光伝送を経済的に実現する方式として、４０  Ｇｂｐｓまたは１００  ＧｂｐｓのＯＴＵフレームのデータをマルチレーンに分配してパラレル伝送を行うＯＴＮ−ＭＬＤ（Ｍｕｌｔｉｌａｎｅ  Ｄｉｓｔｒｉｂｕｔｉｏｎ）が標準化されている（非特許文献１：Ａｎｎｅｘ  Ｃ）。図２に示すように、ＯＴＮ−ＭＬＤでは、フレームを１６バイト毎に１０２０のデータブロックに分割し、１ブロックずつ各レーンに分配する（図中では［  ］内にＬＬＭを記載する）。図２では、一例として、４レーンに分配する例を示した。
【０００５】
第１のフレーム（ＬＬＭ＝０）では、データブロックの分配は以下の通りである。
レーン＃０：ｂ＝１，５，９，…，１１１７
レーン＃１：ｂ＝２，６，１０，…，１１１８
レーン＃２：ｂ＝３，７，１１，…，１１１９
レーン＃３：ｂ＝４，８，１２，…，１０２０
第２のフレーム（ＬＬＭ＝１）ではレーンをローテートして、データブロックの分配を以下のようにする。
レーン＃０：ｂ＝４，８，１２，…，１０２０
レーン＃１：ｂ＝１，５，９，…，１１１７
レーン＃２：ｂ＝２，６，１０，…，１１１８
レーン＃３：ｂ＝３，７，１１，…，１１１９
第３のフレーム（ＬＬＭ＝２）ではレーンをローテートして、データブロックの分配を以下のようにする。
レーン＃０：ｂ＝３，７，１１，…，１１１９
レーン＃１：ｂ＝４，８，１２，…，１０２０
レーン＃２：ｂ＝１，５，９，…，１１１７
レーン＃３：ｂ＝２，６，１０，…，１１１８
第４のフレーム（ＬＬＭ＝３）ではレーンをローテートして、データブロックの分配を以下のようにする。
レーン＃０：ｂ＝２，６，１０，…，１１１８
レーン＃１：ｂ＝３，７，１１，…，１１１９
レーン＃２：ｂ＝４，８，１２，…，１０２０
レーン＃３：ｂ＝１，５，９，…，１１１７
【０００６】
このようなＯＴＮ−ＭＬＤを用いたマルチレーン伝送装置の送信部の構成を図３に示す。マルチレーン伝送装置の送信部は、マッピング部１と、ＯＨ処理部２と、インタリーブ部３と、符号化部４−１〜４−１６と、逆インタリーブ部５と、スクランブル部６と、データブロック分割部７と、レーン番号決定部８を備える。以下、レーン数Ｍが１６の場合について説明する。
【０００７】
マッピング部１は、クライアント信号をＯＰＵ  ＰＬＤにマッピングする。
ＯＨ処理部２は、ＯＰＵフレームにオーバヘッドを付加する。オーバヘッドは、例えば、ＦＡ  ＯＨ、ＯＴＵ  ＯＨ及びＯＤＵ  ＯＨである。ここで、図１に示すように、ＦＡ  ＯＨの６バイト目にはＬＬＭが配置される。
インタリーブ部３は、ＯＰＵフレームにオーバヘッドを付加した４行×３８２４列のフレームを１行（３８２４バイト）毎に１６バイトインタリーブする。
符号化部４−１〜４−１６は、バイトインタリーブされたサブ行データ（２３９バイト）を符号化して、１６バイトパリティチェックを付加したサブ行データ（２５５バイト）を出力する。
逆インタリーブ部５は、符号化されたサブ行データを逆インタリーブして、符号化された４行×４０８０列のＯＴＵフレームを出力する。
スクランブル部６は、ＦＥＣ符号化された４行×４０８０列のＯＴＵフレームのＦＡＳ以外の全領域をスクランブルする。
データブロック分割部７は、スクランブルされたＯＴＵフレームを１６バイトデータブロックに分割する。
レーン番号決定部８は、レーン番号を決定して、そのレーンにフレームを分割したデータブロックを出力する。
【０００８】
ここで、ＦＡＳを含む先頭データブロックを出力するレーン番号ｍ（ｍ＝０〜Ｍ−１）は、
ｍ＝ＬＬＭ  ｍｏｄ  Ｍ
で決定される。
それ以外のデータブロックの場合は、直前のレーン番号をｍ’とした場合、
ｍ＝（ｍ’＋１）  ｍｏｄ  Ｍ
とする。
【０００９】
マルチレーン伝送装置の受信部の構成を図４に示す。マルチレーン伝送装置の受信部は、レーン識別＆遅延差補償部１０と、ＯＴＵフレーム再構成部１１と、デスクランブル部１２と、インタリーブ部１３と、復号部１４−１〜１４−１６と、逆インタリーブ部１５と、ＯＨ処理部１６と、デマッピング部１７を備える。レーン識別＆遅延差補償部１０の構成を図５に示す。レーン識別＆遅延差補償部１０は、ＦＡＯＨ検出部２０−１〜２０−Ｍと、遅延比較部２１と、遅延調整部２２−１〜２２−Ｍを備える。
【００１０】
ＦＡＯＨ検出部２０−１〜２０−Ｍは、ＦＡＳを含む先頭データブロックを見つけて、ＦＡＳ、ＬＬＭ、ＭＦＡＳを読み出す。遅延比較部２１は以下の例に示すように遅延時間差を求め、遅延調整部２２−１〜２２−Ｍを用いて遅延時間差を補償する。４レーンの場合の遅延差補償の例を図６（ａ）及び図６（ｂ）に示す。
【００１１】
レーン＃０で受信したＭＦＡＳ＝０のデータブロックの先頭位置を基準とすると、レーン間の遅延時間差が無いならば、レーン＃１で受信したＭＦＡＳ＝１、レーン＃２で受信したＭＦＡＳ＝２、レーン＃３で受信したＭＦＡＳ＝３のデータブロックの先頭位置はそれぞれ４０８０バイト、８１６０バイト、１２２４０バイト分だけ遅延するはずである。しかし、各レーンの信号はそれぞれ異なる波長の光で伝送されるので、分散などの影響で遅延時間差が生じる。
【００１２】
ここで図６の（ａ）に示すように、ＭＦＡＳ＝０のデータブロックの先頭位置を基準としたＭＦＡＳ＝１、ＭＦＡＳ＝２、ＭＦＡＳ＝３のデータブロックの先頭位置が、それぞれ３９８０バイト、８４６０バイト、１２４４０バイト分遅延していたとすると、予想される遅延時間に対し、レーン＃１は−１００バイト、レーン＃２は＋３００バイト、レーン＃３は＋２００バイト分の遅延時間差が生じた事が判る。そこで、レーン＃０の遅延調整部には３００バイト、レーン＃１の遅延調整部には４００バイト、レーン＃３の遅延調整部には１００バイト分の遅延を与えると、すべてのレーンは、図６の（ｂ）に示すように最も遅延の大きいレーン＃２に合わせることができる。
【００１３】
ＯＴＵフレーム再構成部１１は、遅延時間差補償後の各レーンのデータブロックを受信し、レーン識別＆遅延差補償部１０で識別されたレーン番号を基に、各レーンのデータブロックの順番を元に戻し、４行×４０８０列のＯＴＵフレームを再構成する。
デスクランブル部１２は、再構成されたＯＴＵフレームのＦＡＳ以外の全領域をデスクランブルする。
インタリーブ部１３は、４行×４０８０列のＯＴＵフレームを１行（４０８０バイト）毎に１６バイトインタリーブする。
復号部１４−１〜１４−１６は、バイトインタリーブされたサブ行データ（２５５バイト）を復号して、エラー訂正されたサブ行データ（２３８バイト）を出力する。
逆インタリーブ部１５は、復号されたサブ行データを逆インタリーブして、エラー訂正された４行×３８２４列のフレームを出力する。
ＯＨ処理部１６は、エラー訂正された４行×３８２４列のフレームからＦＡ  ＯＨ、ＯＴＵ  ＯＨ、ＬＭ  ＯＨ及びＯＤＵ  ＯＨといったオーバヘッドを除いたＯＰＵフレームを出力する。
デマッピング部１７は、ＯＰＵ  ＯＨの情報に基づいてＯＰＵ  ＰＬＤからクライアント信号をデマッピングして出力する。
【先行技術文献】
【特許文献】
【００１４】
【特許文献１】特開２０１１−２２３４５４号公報
【非特許文献】
【００１５】
【非特許文献１】“Ｉｎｔｅｒｆａｃｅｓ  ｆｏｒ  ｔｈｅ  Ｏｐｔｉｃａｌ  Ｔｒａｎｓｐｏｒｔ  Ｎｅｔｗｏｒｋ  （ＯＴＮ）”，ＩＴＵ−Ｔ  Ｇ．７０９，２００９
【発明の概要】
【発明が解決しようとする課題】
【００１６】
ＯＴＮ−ＭＬＤを拡張することにより、レーン数可変のマルチレーン伝送を行えるようになる（例えば、特許文献１参照。）。しかし、図７においてＡのタイミングでレーン数を増やした場合、新規レーン＃４の遅延量は未知なので、レーン＃４においてＦＡＳを含んだデータブロックを受信する（Ｂのタイミング）まで、フレーム再構成を行うことはできない。従って、レーン数を増加させるとレイテンシも増えてしまう。
【００１７】
本発明は、レイテンシの増大なしに帯域を増加させることを目的とする。
【課題を解決するための手段】
【００１８】
上記目的を達成するために、本願発明の帯域変更方法は、フレーム形式の信号をデータブロックに分割して複数のレーンに分配して伝送するマルチレーン伝送におけるレーン数増加時の遅延補償に関するものであり、特に、既存レーンのフレームの同期パターンおよびフレーム番号を含むデータブロックの複製を新規レーンで予め伝送し、同一のフレーム番号に対する同期パターンの遅延を比較し、既存レーンにおける同期パターンの遅延の方が大きい場合は、当該新規レーンに遅延の差分を与え、新規レーンにおける同期パターンの遅延の方が大きい場合は、既存レーンに遅延の差分を与えて既存レーンと新規レーンの遅延差を補償した後に、当該マルチレーン伝送の送信側において当該データブロックを分配するレーン数を変更する。
【００１９】
具体的には、本願発明のマルチレーン伝送システムは、
フレーム形式の信号をデータブロックに分割して１本以上のレーンを用いて送信装置から受信装置へ伝送するマルチレーン伝送システムであって、
前記送信装置は、
既存レーンにおけるフレームの同期パターンおよびフレーム番号を含むデータブロックを複製するデータブロック複製機能部と、
前記データブロック複製機能部の複製したデータブロックを、既存レーンとは異なる新規レーンに出力する新規レーン出力機能部と、
を備え、
前記受信装置は、
既存レーンにおけるフレームの同期パターンおよびフレーム番号と、新規レーンにおけるフレームの同期パターンおよびフレーム番号とを読み出す同期パターン読出し機能部と、
同一のフレーム番号を有する既存レーンと新規レーンの同期パターンの遅延を比較し、既存レーン及び新規レーンのうちの遅延の小さなレーンに遅延の差分を与えることで既存レーンと新規レーンの遅延差を補償する新規レーン遅延補償機能部と、
を備える。
【００２０】
本願発明のマルチレーン伝送システムでは、前記送信装置は、レーン数を増加又は減少させる制御情報とともに増加又は減少させるレーンを示す変更レーン情報を含むフレーム形式の信号のオーバヘッドを生成するオーバヘッド部生成機能部をさらに備え、前記新規レーン出力機能部は、前記オーバヘッド部生成機能部の生成したオーバヘッドを新規レーンに出力し、前記同期パターン読出し機能部は、前記制御情報及び前記変更レーン情報を読み出し、前記新規レーン遅延補償機能部は、前記制御情報及び前記変更レーン情報を用いて既存レーンと新規レーンを識別してもよい。
【００２１】
具体的には、本願発明のマルチレーン伝送システムにおける帯域変更方法は、
フレーム形式の信号をデータブロックに分割して１本以上のレーンを用いて送信装置から受信装置へ伝送するマルチレーン伝送システムにおいてレーン数を変更することで帯域を変更する帯域変更方法であって、
前記送信装置が、既存レーンにおけるフレームの同期パターンおよびフレーム番号を含むデータブロックを複製し、複製したデータブロックを、既存レーンとは異なる新規レーンに出力する新規レーン出力手順と、
前記受信装置が、既存レーンにおけるフレームの同期パターンおよびフレーム番号と、新規レーンにおけるフレームの同期パターンおよびフレーム番号とを読み出し、同一のフレーム番号を有する既存レーンと新規レーンの同期パターンの遅延を比較し、既存レーン及び新規レーンのうちの遅延の小さなレーンに遅延の差分を与えることで既存レーンと新規レーンの遅延差を補償する新規レーン遅延補償手順と、
を有する。
【００２２】
本願発明のマルチレーン伝送システムにおける帯域変更方法では、前記新規レーン出力手順において、前記送信装置が、レーン数を増加又は減少させる制御情報とともに増加又は減少させるレーンを示す変更レーン情報を含むフレーム形式の信号のオーバヘッドを生成し、生成したオーバヘッドを新規レーンに出力し、前記新規レーン遅延補償手順において、前記受信装置が、前記制御情報及び前記変更レーン情報を用いて既存レーンと新規レーンを識別し、同一のフレーム番号を有する既存レーンと新規レーンの同期パターンの遅延を比較してもよい。
【発明の効果】
【００２３】
本発明によれば、実際に帯域を増加させる前に遅延補償を行うので、レイテンシの増大なしに帯域を増加させることが可能となる。
【図面の簡単な説明】
【００２４】
【図１】ＯＴＮのフレーム構造を示す図である。
【図２】ＯＴＮ−ＭＬＤの例（４レーン）を示す図である。
【図３】ＯＴＮ−ＭＬＤを用いたマルチレーン伝送装置の送信部の構成を示す図である。
【図４】ＯＴＮ−ＭＬＤを用いたマルチレーン伝送装置の受信部の構成を示す図である。
【図５】ＯＴＮ−ＭＬＤを用いたマルチレーン伝送装置の受信部におけるレーン識別＆遅延差補償部の構成を示す図である。
【図６（ａ）】ＯＴＮ−ＭＬＤにおける遅延補償前の状態例（４レーン）を示す図である。
【図６（ｂ）】ＯＴＮ−ＭＬＤにおける遅延補償後の状態例（４レーン）を示す図である。
【図７】従来のＯＴＮ−ＭＬＤで帯域を増加させる動作を示す図である。
【図８】本発明によるＯＴＮ−ＭＬＤで帯域を増加させる動作を示す図である。
【図９（ａ）】本発明によるＲＣＯＨの配置例を示す図である。
【図９（ｂ）】本発明によるＲＣＯＨにおけるＬＮＵＭの割り当て例を示す図である。
【図１０】本発明のＲＣＯＨを用いた帯域増加の手順を示す図である。
【図１１】本発明のＲＣＯＨを用いた帯域減少の手順を示す図である。
【図１２】本発明によるＲＣＯＨの別の配置例を示す図である。
【発明を実施するための形態】
【００２５】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２６】
レーン数を増加する場合、事前に遅延を測定しておくことで、この問題を解決できる。本実施形態のマルチレーン伝送システムは、フレーム形式の信号をデータブロックに分割して１本以上のレーンに分配して送信装置から受信装置へ伝送するマルチレーン伝送システムであって、送信装置が新規レーン出力手順を実行するデータブロック複製機能部及び新規レーン出力機能部を備え、受信装置が新規レーン遅延補償手順を実行する同期パターン読出し機能部及び新規レーン遅延補償機能部を備える。
【００２７】
図８に、本実施形態に係る伝送フレームの一例を示す。
新規レーン出力手順において、送信装置では、データブロック複製機能部が既存レーン＃０〜３におけるＦＡＳ及びＭＦＡＳを含んだデータブロックをコピーして、新規レーン出力機能部がこのコピーを既存レーン＃０〜３のＦＡＳと同時に新規レーン＃４に送信する（ＦＡＳを含んだデータブロック間はダミーブロックを挿入する）。ＦＡＳはフレームの同期パターンとして用いられ、ＭＦＡＳはフレーム番号として用いられる。
新規レーン遅延補償手順において、受信装置では、同期パターン読出し機能部が既存レーン＃０〜３のＦＡＳおよびフレーム番号と新規レーン＃４におけるＦＡＳ及びＭＦＡＳを読み出し、新規レーン遅延補償機能部が同一のＭＦＡＳを有するＦＡＳの遅延時間差を比較して、新規レーン＃４の遅延時間が既存レーン＃０〜３より短いならば、その差分を新規レーン＃４に加える。また、新規レーン＃４の遅延時間が既存レーン＃０〜３より長いならば、その差分を既存レーン＃０〜３に加える。
【００２８】
送信装置が図３に示す構成を備える場合、データブロック分割部７がデータブロック複製機能部を備え、レーン番号決定部８が新規レーン出力機能部を備える。受信装置が図４に示す構成を備える場合、レーン識別＆遅延差補償部１０が同期パターン読出し機能部及び新規レーン遅延補償機能部を備える。
【００２９】
（実施形態１）
本実施形態では、送信部がオーバヘッド部生成機能部を備え、帯域変更のためのメッセージの送受信に、ＲＣＯＨ（Ｒｅｓｉｚｅ  Ｃｏｎｔｒｏｌ  Ｏｖｅｒｈｅａｄ）を定義して用いる。ＲＣＯＨは、レーン数を増加又は減少させる制御情報とともに増加又は減少させるレーンを示す変更レーン情報を含むフレーム形式の信号のオーバヘッドであり、オーバヘッド部生成機能部が生成する。
【００３０】
ＲＣＯＨの一例を図９（ａ）に示す。
ＲＣＯＨはＯＰＵ  ＯＨの中、１〜３行目の１５列目に配置される。ＲＣＯＨは以下のサブフィールドを有する。
【００３１】
ＣＴＲＬ（Ｃｏｎｔｒｏｌ）：ＲＣＯＨ１の１〜２ビット目に配置される。ソースからシンクに対し、以下の制御メッセージを送信する。
００（ＩＤＬＥ）：帯域変更の動作を完了し、次の帯域変更の動作を行う前であることを示す。
０１（ＡＤＤ）：帯域を増加させる
１０（ＲＥＭＯＶＥ）：帯域を減少させる
１１（ＮＯＲＭ）：帯域変更の動作中であることを示す。
【００３２】
ＬＮＵＭ（Ｌａｎｅ  Ｎｕｍｂｅｒ）：ＲＣＯＨ２の１〜８ビット目に配置される。１ビット目をＭＳＢ、８ビット目をＬＳＢとする。ＣＴＲＬ＝ＡＤＤ／ＤＥＬＥＴＥと共に用いられ、ソースからシンクに対し、増加あるいは減少させる論理レーン数の番号を送信する。論理レーンの速度を５  Ｇｂｐｓ、最大帯域を１  Ｔｂｐｓとすると、論理レーン数は最大２００なので、８ビット（０〜２５５）で表現可能である。
【００３３】
ＲＬＣＲ（Ｒｅｐｌｙ  ｆｏｒ  Ｌｉｎｋ  Ｃｏｎｎｅｃｔｉｏｎ  Ｒｅｓｉｚｅ）：ＲＣＯＨ１の３〜４ビット目に配置される。シンクからソースに対し、以下の応答メッセージを送信する。
帯域を増加させる場合
０１（ＯＫ）：ＣＴＲＬ＝ＡＤＤに対し、空き帯域を確保できたことを示す。
１０（ＮＧ）：ＣＴＲＬ＝ＡＤＤに対し、空き帯域を確保できなかったことを示す。
帯域を減少させる場合
０１（ＯＫ）：シンク側でレーン分配する論理レーン数の減少を確認したことを示す。
ＲＢＷＲ（Ｒｅｐｌｙ  ｆｏｒ  Ｂａｎｄｗｉｄｔｈ  Ｒｅｓｉｚｅ）：ＲＣＯＨ１の５〜６ビット目に配置される。シンクからソースに対し、以下の応答メッセージを送信する。
帯域を増加させる場合
０１（ＯＫ）：遅延補正が成功したことを示す。
１０（ＮＧ）：遅延補正が失敗したことを示す。
帯域を減少させる場合
０１（ＯＫ）：ＣＴＲＬ＝ＲＥＭＯＶＥを受信したことを示す。
【００３４】
ＣＲＣ８（Ｃｙｃｌｉｃ  Ｒｅｄｕｎｄａｎｃｙ  Ｃｈｅｃｋ  ８）：ＲＣＯＨ３の１〜８ビット目に配置される。ＲＣＯＨ１およびＲＣＯＨ２に対する誤り検出に用いる。
ＲＣＯＨ１の７〜８ビット目は予備領域とする。ＬＮＵＭを拡張したい場合、例えば、論理レーンの速度を１．２５  Ｇｂｐｓ、最大帯域を１  Ｔｂｐｓとすると、増減する論理レーン数は最大８００なので、１０ビット（０〜１０２３）が必要となる。この場合は、ＲＣＯＨ１の７〜８ビット目およびＲＣＯＨ２の１〜８ビット目の、合計１０ビットをＬＮＵＭに割り当てる（図９（ｂ））。
【００３５】
以上のＲＣＯＨを用いた帯域増加の手順を図１０に示す。
初期状態において、ソースＳｏとシンクＳｋの間は論理レーン数Ｍで通信を行っているものとする。
（１）  ＮＭＳ（Ｎｅｔｗｏｒｋ  Ｍａｎａｇｅｍｅｎｔ  Ｓｙｓｔｅｍ）から帯域増加要求を受けたソースＳｏは、シンクＳｋに対して、ＣＴＲＬ＝ＡＤＤ、ＬＮＵＭ＝Ｎを送信する（Ｓ１０１）。なお、ＮＭＳは、ネットワークの管理運用を行うためのシステムである。
（２）  ＣＴＲＬ＝ＡＤＤ、ＬＮＵＭ＝Ｎを受信したシンクＳｋは、帯域リソースの使用状況を調べて、空き帯域リソースを確保できた場合は、ＲＬＣＲ＝ＯＫを、できなかった場合は、ＲＬＣＲ＝ＮＧをソースＳｏに返信する（Ｓ１０２）。
（３）  ＲＬＣＲ＝ＯＫを受信したソースＳｏは、シンクＳｋに対して、ＣＴＲＬ＝ＮＯＲＭを送信する（Ｓ１０３）。また、新規の論理レーンに、既存のＭ本の論理レーンのＦＡＳおよびＭＦＡＳを含むデータブロックを図５のようにコピーして送信する（Ｓ１０４）。
（４）  シンクＳｋは、新規の論理レーンに含まれるＦＡＳおよびＭＦＡＳを読み出し、同一のＭＦＡＳを有するＦＡＳの遅延時間差を比較して、新規の論理レーンの遅延時間が既存のＭ本の論理レーンより短いならば、その差分を新規の論理レーンに加える。また、新規の論理レーンの遅延時間が既存のＭ本の論理レーンより長いならば、その差分を既存のＭ本の論理レーンに加える。
以後、シンクＳｋは、全ての論理レーンの遅延時間が等しくなった事を確認し、ＲＢＷＲ＝ＯＫをソースＳｏに返信する（Ｓ１０５）。全ての論理レーンの遅延時間が等しくならない場合、あるいは、新規の論理レーンでＦＡＳおよびＭＦＡＳが正常に受信できない場合、シンクＳｋはＲＢＷＲ＝ＮＧをソースＳｏに返信する（Ｓ１０５）。
（５）  ＲＢＷＲ＝ＯＫを受信したソースＳｏは、次のレーン分配の先頭から（Ｍ＋１）本の論理レーンによるレーン分配を開始する（Ｓ１０７）。また、ＣＴＲＬ＝ＩＤＬＥをシンクに送信する（Ｓ１０６）。
【００３６】
なお、ＲＬＣＲ＝ＮＧあるいはＲＢＷＲ＝ＮＧを受信したソースＳｏは、帯域増加の動作を中止し、ＣＴＲＬ＝ＩＤＬＥをシンクＳｋに送信する。
【００３７】
また、帯域減少の手順を図１１に示す。
初期状態において、ソースＳｏとシンクＳｋの間は論理レーン数Ｍで通信を行っているものとする。
（１）  ＮＭＳから帯域減少要求を受けたソースＳｏは、シンクＳｋに対して、ＣＴＲＬ＝ＲＥＭＯＶＥ、ＬＮＵＭ＝Ｎを送信する（Ｓ２０１）。
（２）  ＣＴＲＬ＝ＲＥＭＯＶＥ、ＬＮＵＭ＝Ｎを受信したシンクＳｋは、ＲＢＷＲ＝ＯＫをソースＳｏに返信する（Ｓ２０２）。
（３）  ＲＢＷＲ＝ＯＫを受信したソースＳｏは、シンクＳｋに対して、ＣＴＲＬ＝ＮＯＲＭを送信する（Ｓ２０３）。また、次のレーン分配の先頭から（Ｍ―１）本の論理レーンによるレーン分配を開始する（Ｓ２０４）。
（４）  （Ｍ―１）本の論理レーンによるレーン分配を確認したシンクＳｋは、空いた帯域リソースを解放し、ＲＬＣＲ＝ＯＫをソースＳｏに返信する（Ｓ２０５）。
（５）  ＲＬＣＲ＝ＯＫを受信したソースＳｏは、空いた帯域リソースを解放し、ＣＴＲＬ＝ＩＤＬＥをシンクＳｋに送信する（Ｓ２０６）。
【００３８】
（実施形態２）
ＲＣＯＨの配置の別の例を示す。
ＲＣＯＨはＯＤＵ  ＯＨの中、４行目の９〜１４列目中の３バイト分（図１２では１２〜１４列目だが、９〜１１列目や１０〜１２列目等の任意の配置でも同様の効果が得られる）に配置される。ＯＰＵ  ＯＨを別の用途、例えば、ＧＭＰ（Ｇｅｎｅｒｉｃ  Ｍａｐｐｉｎｇ  Ｐｒｏｃｅｄｕｒｅ）のマッピング用パラメータの伝達に割り当てる場合、ＲＣＯＨをＯＤＵ  ＯＨの中に配置する。
【００３９】
ＲＣＯＨの各サブフィールド、及び、これを用いた帯域変更の手順は、実施形態１と同じである。
【産業上の利用可能性】
【００４０】
本発明は情報通信産業に適用することができる。
【符号の説明】
【００４１】
１：マッピング部１
２：ＯＨ処理部
３：インタリーブ部
４−１〜４−１６：符号化部
５：逆インタリーブ部
６：スクランブル部
７：データブロック分割部
８：レーン番号決定部
１０：レーン識別＆遅延差補償部
１１：ＯＴＵフレーム再構成部
１２：デスクランブル部
１３：インタリーブ部
１４−１〜１４−１６：復号部
１５：逆インタリーブ部
１６：ＯＨ処理部
１７：デマッピング部
２０−１〜２０−Ｍ：ＦＡＯＨ検出部
２１：遅延比較部
２２−１〜２２−Ｍ：遅延調整部
【図１】
0005894257.tif 000002
【図２】
0005894257.tif 000003
【図３】
0005894257.tif 000004
【図４】
0005894257.tif 000005
【図５】
0005894257.tif 000006
【図６（ａ）】
0005894257.tif 000007
【図６（ｂ）】
0005894257.tif 000008
【図７】
0005894257.tif 000009
【図８】
0005894257.tif 000010
【図９（ａ）】
0005894257.tif 000011
【図９（ｂ）】
0005894257.tif 000012
【図１０】
0005894257.tif 000013
【図１１】
0005894257.tif 000014
【図１２】
0005894257.tif 000015